(57)【要約】【課題】  蓋体と絶縁基体とを接着する樹脂接着剤の塗布状態や塗布量の経時的変化により、絶縁基体に対する蓋体の平行度にバラツキが生じず、絶縁基体上面と蓋体との距離を一定に保ち、気密封止の信頼性に優れるとともに正確な受光が可能なものとすること。【解決手段】  半導体装置７は、上面に半導体素子３を収容するための凹部１ａが形成されるとともに、絶縁基体１上面の凹部１ａの周囲に凹部１ａ側が低くなるように段差が形成されている絶縁基体１と、絶縁基体１上面の段差よりも凹部１ａ側の部位に形成された複数の突起８と、凹部１ａの内面から絶縁基体１の側面および下面の少なくとも一方にかけて形成された配線導体２と、凹部１ａの底面に載置されて電極が配線導体２に電気的に接続された半導体素子３と、絶縁基体１上面の段差よりも凹部１ａ側の部位に複数の突起８を内部に含んで形成された樹脂接着剤層５を介して接着された蓋体４とを具備する。【選択図】  図１
2005236212.tif 000002
【特許請求の範囲】
【請求項１】
上面に半導体素子を収容するための凹部が形成されるとともに、前記上面の前記凹部の周囲に前記凹部側が低くなるように段差が形成されている絶縁基体と、前記上面の前記段差よりも前記凹部側の部位に形成された複数の突起と、前記凹部の内面から前記絶縁基体の側面および下面の少なくとも一方にかけて形成された配線導体と、前記凹部の底面に載置されて電極が前記配線導体に電気的に接続された半導体素子と、前記上面の前記段差よりも前記凹部側の部位に前記複数の突起を内部に含んで形成された樹脂接着剤層を介して接着された蓋体とを具備していることを特徴とする半導体装置。
【請求項２】
前記突起は、柱形状または上端部が下端部よりも細い形状であることを特徴とする請求項１記載の半導体装置。
【請求項３】
前記突起は、下端部の側面に切り欠きが形成されていることを特徴とする請求項１または請求項２記載の半導体装置。
【発明の詳細な説明】
【技術分野】
【０００１】
本発明は、フォトダイオード，ラインセンサ，イメージセンサ等の受光素子である光半導体素子またはこれらの受光部を有する光半導体素子などの半導体素子を具備した半導体装置に関する。
【背景技術】
【０００２】
従来のフォトダイオード（ＰＤ），ラインセンサ，イメージセンサ等の受光素子である光半導体素子またはこれらの受光部を有する光半導体素子などの半導体素子を具備した半導体装置を構成する絶縁基体は、例えばセラミックス等から成り、上面に半導体素子を収容するための凹部が形成されている。また、絶縁基体の凹部の内面から絶縁基体の側面および下面の少なくとも一方にかけて、配線導体が形成されている。
【０００３】
半導体素子は絶縁基体の凹部の底面に載置され接着されており、その半導体素子の上面の外周部には電極が設けられている。半導体素子の電極と上記配線導体のうち凹部の内面に露出した部位とは、Ａｕ，Ａｌ等からなるボンディングワイヤにより電気的に接続される。
【０００４】
また、ガラス、有機樹脂等から成る蓋体が絶縁基体の上面にエポキシ樹脂等の樹脂からなる樹脂接着剤層を介して接着固定される。この蓋体は、その下面外周部が絶縁基体の上面の凹部の周囲に接着されて凹部を塞ぐ。これにより、絶縁基体と蓋体とで形成される容器の内部に半導体素子が気密封止される。なお、蓋体は透光性の材料により形成される。
【０００５】
このように従来の半導体装置は、蓋体を有することにより、半導体装置の内部空間にゴミなどの異物が侵入することを防止するとともに、半導体装置の内部空間を密閉空間とすることで、外部雰囲気の湿気が半導体装置内に侵入するのを防ぎ、半導体素子の耐久性を向上させている。
【０００６】
なお、配線導体のうち絶縁基体の側面および下面の少なくとも一方に露出した部位は、外部接続用のパッドとして機能する。
【０００７】
そして、例えば半導体素子が光半導体素子の場合であれば、蓋体は透光性のものが使用され、透光性蓋体を介して外部の光が光半導体素子の受光面で受光されるとともに光半導体素子で電気信号に変換される。この電気信号は、配線導体を経由して半導体装置の外部に配置された各種の機器や素子などに送られる。
【特許文献１】特開平７−１０６４６０号公報
【発明の開示】
【発明が解決しようとする課題】
【０００８】
しかしながら、このような従来の半導体装置においては、蓋体と絶縁基体とを接着する樹脂接着剤の塗布状態や塗布量の経時的変化により、絶縁基体に対する蓋体の平行度にバラツキが生じてしまったり、絶縁基体上面と蓋体との距離にバラツキが生じてしまい、一部に蓋体の接合強度が弱い部分が生じて気密封止の信頼性が劣化したり、例えば半導体素子が光半導体素子である場合、光半導体素子の受光面と透光性の蓋体との間の距離がばらつくため正確に受光させることができなくなってしまう等、半導体装置の特性が劣化するという問題があった。
【０００９】
したがって、本発明は上記の問題に鑑みて完成されたものであり、その目的は、絶縁基体に対する蓋体の平行度が良好になり、気密封止の信頼性に優れるとともに、例えば光半導体素子を収容されて成る場合でも正確な受光が可能な半導体装置を提供することである。
【課題を解決するための手段】
【００１０】
本発明の半導体装置は、上面に半導体素子を収容するための凹部が形成されるとともに、前記上面の前記凹部の周囲に前記凹部側が低くなるように段差が形成されている絶縁基体と、前記上面の前記段差よりも前記凹部側の部位に形成された複数の突起と、前記凹部の内面から前記絶縁基体の側面および下面の少なくとも一方にかけて形成された配線導体と、前記凹部の底面に載置されて電極が前記配線導体に電気的に接続された半導体素子と、前記上面の前記段差よりも前記凹部側の部位に前記複数の突起を内部に含んで形成された樹脂接着剤層を介して接着された蓋体とを具備していることを特徴とするものである。
【００１１】
また本発明の半導体装置は、好ましくは、前記突起は、柱形状または上端部が下端部よりも細い形状であることを特徴とするものである。
【００１２】
また本発明の半導体装置は、好ましくは、前記突起は、下端部に切り欠きが形成されていることを特徴とするものである。
【発明の効果】
【００１３】
本発明の半導体装置は、上面に半導体素子を収容するための凹部が形成されるとともに、その上面の凹部の周囲に凹部側が低くなるように段差が形成されている絶縁基体と、絶縁基体上面の段差よりも凹部側の部位に形成された複数の突起と、この突起を内部に含んで形成された樹脂接着剤層を介して絶縁基体に接着された蓋体とを具備していることより、突起の高さを、その上面と絶縁基体の例えば凹部の底面との間の距離が同じになるように調整しておくことで、容易かつ確実に蓋体と絶縁基体との間の平行度を良好に確保することができる。
【００１４】
また、この突起の高さの分、蓋体と絶縁基体との間に、蓋体と絶縁基体とを接着する樹脂接着剤層を十分な厚さで形成することができるので、接着の強さを十分に確保することができる。
【００１５】
その結果、絶縁基体に対する蓋体の平行度が良好で、気密封止の信頼性に優れるとともに正確な受光が可能な半導体装置となる。
【００１６】
本発明の半導体装置は、好ましくは、突起は、柱形状または上端部が下端部よりも細い形状であることから、突起と蓋体との接触面が大きくなりすぎることはなく、樹脂接着剤層と蓋体との接着面積を十分に確保することが容易なものとなり、蓋体と絶縁基体とをより確実かつ強固に接着させることができるようになり、より気密封止の信頼性に優れた半導体装置を提供することができる。
【００１７】
本発明の半導体装置は、好ましくは、突起は、下端部に切り欠きが形成されていることから、この切り欠き内に樹脂接着剤層が入り込んで、突起と、切り欠きから露出している絶縁基体の上面とに接着面積をより大きくして接着することができ、樹脂接着剤層を介して絶縁基体と蓋体とをより一層強固に接着することができる。その結果、蓋体と絶縁基体とがより確実かつ強固に接着された、極めて気密封止の信頼性に優れる半導体装置を提供することができる。
【発明を実施するための最良の形態】
【００１８】
本発明の半導体装置について以下に詳細に説明する。図１は本発明の半導体装置について実施の形態の一例を示す断面図である。図１において、１は絶縁基体、２は配線導体、３は半導体素子、４は蓋体、５は樹脂接着剤層、６はボンディングワイヤ、８は突起である。この絶縁基体１、配線導体２、半導体素子３、蓋体４、樹脂接着剤層５およびボンディングワイヤ６、突起８により、半導体装置７が主に構成されている。
【００１９】
本発明の絶縁基体１の上面に形成された凹部１ａには半導体素子３が収容され、凹部１ａの底面に接合される。この半導体素子３は、例えばフォトダイオード（ＰＤ），ラインセンサ，イメージセンサ等の光半導体素子の場合、上面の中央部に受光部が設けられ、また上面の外周部には信号の入出力用の電極が設けられている。また、凹部１ａの底面の外周部や凹部１ａの内周面には配線導体２が露出しており、その配線導体２の露出部位と半導体素子３の電極とがＡｕ，Ａｌ等から成るボンディングワイヤ６で電気的に接続されている。
【００２０】
絶縁基体１は、アルミナセラミックス，窒化アルミニウムセラミックス，炭化珪素セラミックス，窒化珪素セラミックス，ガラスセラミックス等のセラミックス等からなり、平板状の底板部の上面の外周部に別体の枠状の側壁部が設けられているか、または絶縁基体１の底板部と側壁部とは一体的に形成されていてもよい。これらの底板部と側壁部とにより、絶縁基体１の上面には、半導体素子３を収容し底面に載置するための凹部１ａが形成されている。
【００２１】
配線導体２のうち凹部１ａ内面に露出した部位が半導体素子３の電極にボンディングワイヤ６を介して接続されることにより、絶縁基体１に搭載された半導体素子３は、電極、ボンディングワイヤ６および配線導体２を介して、外部電気回路（図示せず）に電気的に接続される。
【００２２】
この配線導体２は、タングステン，モリブデン，銅，銀等のメタライズ導体により形成されている。そして、配線導体２は、例えば絶縁基体１となるセラミックグリーンシート（以下、グリーンシートともいう）に予め所定のスルーホールを形成し、タングステン，モリブデン，銅，銀等の金属ペーストをスルーホールの内面に印刷塗布したり充填しておくことにより形成される。
【００２３】
また、半導体素子３は、光半導体素子の場合であれば、その上面の中央部に受光部が設けられており、その上面の受光部の周囲である外周部には、入出力用の電極が設けられている。半導体素子３は、ＰＤ，ラインセンサ，イメージセンサ，ＣＣＤ（Charge Coupled Device）、ＥＰＲＯＭ（Erasable and Programmable ＲＯＭ）等の受光素子、またはこれらの受光部を有する半導体素子である。また、半導体素子は、半導体集積回路素子等であってもよい。
【００２４】
この半導体素子３は絶縁基体１の底面に載置され樹脂接着剤や半田等によって接着されており、半導体素子３の上面の外周部には電極が設けられている。半導体素子３の電極と、配線導体２の凹部１ａでの露出部分である電極パッドとは、Ａｕ，Ａｌ等からなるボンディングワイヤ６により電気的に接続される。
【００２５】
また、蓋体４が樹脂接着剤層５を介して絶縁基体１の上面の凹部の周囲に接着固定されており、これにより半導体素子３を搭載し収容した凹部１ａが気密封止される。この樹脂接着剤層５は、アクリル系樹脂，エポキシ系樹脂，シリコーン系樹脂，ポリエーテルアミド系樹脂等から成る。この樹脂接着剤層５は、余計な外光の入射を遮断するために、黒色，茶褐色，暗緑色，濃青色等の暗色系の顔料や染料を混入させてもよい。
【００２６】
本発明の半導体装置７においては、絶縁基体１は、上面の凹部１ａの周囲に凹部１ａ側が低くなるように段差が形成され、上面の段差よりも凹部１ａ側の部位に複数の突起８が形成されている。また、蓋体４と絶縁基体１とを接着する樹脂接着剤層５は、突起８を内部に含んで形成されている。このように、絶縁基体１の上面に段差を形成し、段差よりも凹部１ａ側の部位に複数の突起８を形成しておくとともに、樹脂接着剤層５が複数の突起８を内部に含んで形成されたものとしておくと、突起８の高さを、その上面と絶縁基体１の例えば凹部１ａの底面との間の距離が同じになるように調整しておくことで、容易かつ確実に蓋体４と絶縁基体１との間の平行度を良好に確保することができる。
【００２７】
また、この突起８の高さの分、蓋体４と絶縁基体１との間に、蓋体４と絶縁基体１とを接着する樹脂接着剤層５を十分な厚さで形成することができるので、接着の強さを十分に確保することができる。
【００２８】
その結果、絶縁基体１に対する蓋体４の平行度が良好で、気密封止の信頼性に優れるとともに正確な受光が可能な半導体装置７となる。
【００２９】
突起８は、熱硬化型の有機樹脂により形成することが好ましい。突起８を熱硬化型樹脂で形成すると、突起８の高さを上述のように制御することが容易で、蓋体４により気密封止の信頼性をより一層優れたものとすることができる。
【００３０】
突起８は、例えば、絶縁基体１の上面の段差よりも凹部１ａ側の部位に複数の半硬化状の樹脂製の突起８をあらかじめ形成し、蓋体４を接合する際に樹脂製の突起８を含む絶縁基体１上面の段差よりも凹部１ａ側の部位に全周にわたって樹脂接着剤を塗布し、蓋体４を搭載し、絶縁基体１に対する蓋体４の平行度を確保した後に半硬化の樹脂を本硬化することにより、絶縁基体１に対する蓋体４の平行度が良好になり、気密封止の信頼性に優れるとともに、特に半導体素子３が光半導体素子の場合、正確な受光が可能な半導体装置７とすることができる。
【００３１】
このような突起８は、アクリル系樹脂，エポキシ系樹脂，シリコーン系樹脂，ポリエーテルアミド系樹脂等の樹脂から成り、ディスペンスによる方法やスクリーン印刷による方法により所定の厚みの柱状等に印刷塗布しておくことにより、形成され、比較的低温下の熱付加やＵＶによる仮硬化により半硬化の状態に成形される。
【００３２】
また本発明の半導体装置７において、突起８は、柱形状または上端部が下端部よりも細い形状であることが好ましい。突起８を、柱形状または上端部が下端部よりも細い形状としておくと、突起８と蓋体４との接触面が大きくなりすぎることはなく、樹脂接着剤層５と蓋体４との接着面積を十分に確保することが容易なものとなり、蓋体４と絶縁基体１とをより確実、強固に接着させることができるようになり、より気密封止の信頼性に優れた半導体装置７を提供することができる。
【００３３】
また本発明の半導体装置７において、突起８は、下端部に切り欠きが形成されていることが好ましい。突起８の下端部に切り欠きを形成しておくと、この切り欠き内に樹脂接着剤層５が入り込んで、突起８と、切り欠きから露出している絶縁基体１の上面とに接着面積をより大きくして接着することができ、樹脂接着剤層５を介して絶縁基体１と蓋体４とをより一層強固に接着することができる。その結果、蓋体４と絶縁基体１とがより確実、強固に接着された、極めて気密封止の信頼性に優れる半導体装置７を提供することができる。
【００３４】
また、この突起８は、絶縁基体１の上面の凹部１ａの周囲の全周にわたって、等間隔となるようにして形成することが好ましい。この場合、突起８同士の隣接間隔が５ｍｍを超えると、蓋体４ががたついて、絶縁基体１の上面に水平に接着することが困難となり、例えば、半導体素子３が光半導体素子の場合、透光性の蓋体４を介して光半導体素子に受光される光に歪が生じ、正確な電気信号を送ることができなくなるおそれがある。また突起８同士の隣接間隔が０．３ｍｍ未満では、突起８の間の間隔が狭くなりすぎて、樹脂接着剤層５が良好に蓋体４と絶縁基体１との間に流れにくくなり、かえって接着強度が低下するおそれがある。したがって、突起８は、その隣接間隔を０．３〜５ｍｍの範囲とすることが好ましい。
【００３５】
なお、本発明は上記実施の形態に限定されるものではなく、本発明の要旨を逸脱しない範囲内であれば種々の変更は可能である。
【図面の簡単な説明】
【００３６】
【図１】本発明の半導体装置について実施の形態の一例を示す断面図である。
【符号の説明】
【００３７】
１・・・絶縁基体
１ａ・・凹部
２・・・配線導体
３・・・半導体素子
４・・・蓋体
５・・・樹脂接着剤層
６・・・ボンディングワイヤ
７・・・半導体装置
８・・・突起
【図１】
2005236212.tif 000003